(57)【要約】      （修正有）【課題】左右側面と下底面との間の傾斜角度を調整し、及び基板に貼り付けられる位置を不同に調整することによって、異なる発光角度を取得でき、従って各方向への発光性能が良い立体光源を取得することができるＬＥＤブラケットを提供する。【解決手段】上底面１、下底面２、正面３、背面４、左側面５及び右側面６、左側面５及び右側面６に接続した電極７及び放熱フィン８を備え、正面３及び背面４は平行四辺形であり、正面３及び背面４は下底面２に垂直であり、左側面５及び右側面６と下底面２との間の角度は３０〜６０度であり、電極７及び放熱フィン８は下底面２に設けられている。【選択図】図１
2011119211.tif 000002
【特許請求の範囲】
【請求項１】
上底面、下底面、正面、背面、左側面及び右側面、左側面及び右側面に接続した電極及び放熱フィンを備えるＬＥＤブラケットにおいて、
前記正面及び背面は平行四辺形であり、前記正面及び背面は下底面と垂直し、前記左側面及び右側面と下底面との間の角度Ｒは３０〜６０度であり、前記電極及び放熱フィンは下底面に設けられていることを特徴とするＬＥＤブラケット。
【請求項２】
請求項１に記載のＬＥＤブラケットにおいて、前記角度Ｒは３０度、４５度、或いは６０であることを特徴とするＬＥＤブラケット。
【請求項３】
請求項１に記載のＬＥＤブラケットにおいて、前記電極及び放熱フィンは、左側面或いは右側面に固着することを特徴とするＬＥＤブラケット。
【請求項４】
請求項１または３に記載のＬＥＤブラケットにおいて、前記ブラケットはさらに上底面に設けられているスクエアカップを備えることを特徴とするＬＥＤブラケット。
【請求項５】
請求項４に記載のＬＥＤブラケットにおいて、前記スクエアカップのカップ壁には１つ或いは複数の角度範囲が４０〜９０度であるＲ角が設けられていることを特徴とするＬＥＤブラケット。
【請求項６】
請求項５に記載のＬＥＤブラケットにおいて、前記電極及び放熱フィンは銅或いは銀或いは合金材料で作られることを特徴とするＬＥＤブラケット。
【請求項７】
請求項６に記載のＬＥＤブラケットにおいて、前記スクエアカップは熱伝導絶縁材料で作られることを特徴とするＬＥＤブラケット。
【請求項８】
請求項７に記載のＬＥＤブラケットにおいて、前記熱伝導絶縁材料はＡＬＮ、セラミック、シリコン基板或いはプラスチックを含むことを特徴とするＬＥＤブラケット。
【請求項９】
請求項１または７に記載のＬＥＤブラケットにおいて、前記スクエアカップは四角形或いは楕円形であり、前記スクエアカップの角は丸角であることを特徴とするＬＥＤブラケット。
【請求項１０】
請求項９に記載のＬＥＤブラケットにおいて、前記電極及び放熱フィンはブラケットの外部に延び、前記左側面或いは右側面或いは下底面は基板に貼り付けられることを特徴とするＬＥＤブラケット。
【発明の詳細な説明】
【技術分野】
【０００１】
本発明は照明分野に関し、特にＬＥＤブラケットに関する。
【背景技術】
【０００２】
現在、従来のＬＥＤは基板に貼り付けられ、且つ全ては正面が発光し、その発光角度は小さいので、各方向への発光性能が良い立体光源が発生できないし、これらの製品におけるカップは全てが円形であるため、その発光効率を低くさせ、密閉性が悪く、放熱効果がよくないので、照明に応用することは適しない。
【発明の開示】
【発明が解決しようとする課題】
【０００３】
本発明は、光源の発光角度を小さくて、発光効率を低くて、密閉性が悪くて、放熱効果がよくない従来のブラケットにおける技術問題を解決する、立体光源を用いるＬＥＤブラケットを提供することを目的とする。
【課題を解決するための手段】
【０００４】
上記目的を達成するために、本発明は以下のようなＬＥＤブラケットを提供する。
【０００５】
本発明が提供するＬＥＤブラケットは、上底面、下底面、正面、背面、左側面及び右側面、左側面及び右側面に接続した電極及び放熱フィンを備え、前記正面及び背面は平行四辺形であり、前記正面及び背面は下底面と垂直し、前記左側面及び右側面と下底面との間の角度Ｒは３０〜６０度であり、前記電極及び放熱フィンは下底面に設けられている。
上記ＬＥＤブラケットにおいて、好ましくは、前記角度Ｒは３０度、４５度、或いは６０である。
上記ＬＥＤブラケットにおいて、好ましくは、前記電極及び放熱フィンは、左側面或いは右側面に固着する。
上記ＬＥＤブラケットにおいて、好ましくは、前記ブラケットはさらに上底面に設けられているスクエアカップを備える。
上記ＬＥＤブラケットにおいて、好ましくは、前記スクエアカップのカップ壁には１つ或いは複数の角度範囲が４０〜９０度であるＲ角が設けられている。
上記ＬＥＤブラケットにおいて、好ましくは、前記電極及び放熱フィンは銅或いは銀或いは合金材料で作られる。
上記ＬＥＤブラケットにおいて、好ましくは、前記スクエアカップは熱伝導絶縁材料で作られる。
上記ＬＥＤブラケットにおいて、好ましくは、前記熱伝導絶縁材料はＡＬＮ、セラミック、シリコン基板或いはプラスチックを含む。
上記ＬＥＤブラケットにおいて、好ましくは、前記スクエアカップは四角形或いは楕円形であり、前記スクエアカップの角は丸角である。
【０００６】
上記ＬＥＤブラケットにおいて、好ましくは、前記電極及び放熱フィンはブラケットの外部に延び、前記左側面或いは右側面或いは下底面は基板に貼り付けられる。
【発明の効果】
【０００７】
本発明の１つの実施例に関するＬＥＤブラケットは、以下のような技術効果を備える。
【０００８】
１、本出願の外形設計は一般的な立方体或いは直方体と異なり、平行六面体の形状を採用し、一般的なＴＯＰブラケットの四つのサイドエッジは底面と垂直し、この形状のブラケットの左右側面と下底面との間には一定の傾斜角度を有し、正面は背面と下底面と垂直し、底部と垂直する正面及び背面は、一般的な正方形或いは長方形ではなく平行四辺形であり、且つ該ブラケットを基板に貼り付け、左右側面と下底面との間における傾斜角度を調整することによって、異なる発光角度を取得でき、従って必要に応じて各方向への発光性能が良い立体光源を取得することができる。
【０００９】
２、従来のブラケットはただ１つの底部放熱面を有するが、本発明のブラケットは２つ或いは３つの放熱面を有して、放熱面積を効果的に増大し、照明器具の寿命を高めることができる。
【００１０】
３、従来のブラケットは底部に基板に貼り付けられるただ１つの位置を有するが、本発明のブラケットは２つ或いは３つの基板に貼り付けられる位置を有して、発光角度をよりよく調整することができ、それを異なる発光角度要求に適させることができる。
【００１１】
４、一般的なＬＥＤは基板に貼り付けられる時、全てが基板の正面に垂直して発光することしかできないが、本発明のＬＥＤ製品は基板に貼り付けられる時、発光面は基板と異なる発光角度を形成することができ、そこで基板と結合して各方向へ向けて発光できる立体光源を作成でき、且つこれらのブラケットが作成した１つのＬＥＤの明るさは一般的なＴＯＰ  ＬＥＤと同じである。
【図面の簡単な説明】
【００１２】
【図１】本発明の構造概略図である。
【図２】本発明において、プラスチックの下底面が基板に貼り付けられ、左側面及び右側面に接続した電極及び放熱フィンは更に下底面に接続し、左側面と下底面、右側面と下底面との間の角度は３０度であることを示す概略図である。
【図３】本発明において、プラスチックの下底面が基板に貼り付けられ、左側面及び右側面に接続した電極及び放熱フィンは更に下底面に接続し、左側面と下底面、右側面と下底面との間の角度は６０度であることを示す概略図である。
【図４】本発明において、プラスチックの下底面が基板に貼り付けられ、左側面及び右側面に接続した電極及び放熱フィンは更に下底面に接続し、左側面と下底面、右側面と下底面との間の角度は６０度であることを示す概略図である。
【図５】本発明において、電極及び放熱フィンが左側面及び右側面に接続する時の正面の断面概略図である。
【図６】本発明において、プラスチックの左側面が基板に貼り付けられ、電極及び放熱フィンが左側面及び右側面に接続し、上底面が左を向けることを示す概略図である。
【図７】本発明において、プラスチックの左側面が基板に貼り付けられ、電極及び放熱フィンが左側面及び右側面に接続し、上底面が右を向けることを示す概略図である。
【図８】本発明において、プラスチックの右側面が基板に貼り付けられ、電極及び放熱フィンが左側面及び右側面に接続し、上底面が左を向けることを示す概略図である。
【図９】本発明において、プラスチックの右側面が基板に貼り付けられ、電極及び放熱フィンが左側面及び右側面に接続し、上底面が右を向けることを示す概略図である。
【図１０】本発明において、プラスチックの右側面が基板に貼り付けられ、電極及び放熱フィンが左側面及び右側面に接続し、上底面が左を向け、左側面と下底面との間の角度は３０度であることを示す断面図である。
【図１１】本発明において、プラスチックの右側面が基板に貼り付けられ、電極及び放熱フィンが左側面及び右側面に接続し、上底面が左を向け、左側面と下底面との間の角度は４５度であることを示す断面図である。
【図１２】本発明において、プラスチックの右側面が基板に貼り付けられ、電極及び放熱フィンが左側面及び右側面に接続し、上底面が左を向け、左側面と下底面との間の角度は６０度であることを示す断面図である。
【図１３】本発明において、プラスチックの下底面が基板に貼り付けられ、左側面と下底面との間の角度は３０度である時の該プラスチックの正面図である。
【図１４】本発明において、プラスチックの下底面が基板に貼り付けられ、左側面及び右側面に接続した電極及び放熱フィンは更に下底面に接続し、左側面と下底面との間の角度は３０度である時の該プラスチックの底面図である。
【図１５】本発明において、プラスチックの下底面が基板に貼り付けられ、電極及び放熱フィンは左側面及び右側面に接続し、左側面と下底面との間の角度は３０度である時の該プラスチックの底面図である。
【図１６】本発明において、プラスチックの下底面が基板に貼り付けられ、左側面と下底面との間の角度は４５度である時の該プラスチックの左側図及び右側図である。
【図１７】本発明において、プラスチックの下底面が基板に貼り付けられ、左側面及び右側面に接続した電極及び放熱フィンは更に下底面に接続し、左側面と下底面との間の角度は４５度である時の該プラスチックの正面図である。
【図１８】本発明において、プラスチックの下底面が基板に貼り付けられ、左側面と下底面との間の角度は６０度である時の該プラスチックの正面図である。
【発明を実施するための最良の形態】
【００１３】
図１に示すように、ＬＥＤブラケットは、上底面１、下底面２、正面３、背面４、左側面５及び右側面６、左側面５及び右側面６に接続した銅或いは銀或いは合金材料で作成した電極７及び放熱フィン８を備え、電極７及び放熱フィン８は下底面２に設けられ、電極７及び放熱フィン８は左側面５或いは右側面６に固着可能である。上底面１にはＡＬＮ、セラミック、シリコン基板或いはプラスチックを含む熱伝導絶縁材料で作成したブラケットのスクエアカップ９が設置され、該スクエアカップ９は四角形或いは楕円形で、その角は丸角であり、該スクエアカップ９のカップ壁には１つ或いは複数の角度Ｒが設けられ、該角度Ｒの範囲は４０〜９０度である。正面３及び背面４は平行四辺形で下底面２と垂直し、左側面５及び右側面６と下底面２との間の角度Ｒは３０〜６０度であり、ここで、３０度、４５度或いは６０度にしたほうが好ましい。左側面５或いは右側面６と下底面２との間の角度Ｒを調整することによって、異なる発光角度を取得でき、従って必要に応じて各方向への発光性能が良い立体光源を取得することができる。プラスチックには２つ或いは３つの基板に貼り付けられる位置を設け、即ち、電極７及び放熱フィン８がプラスチックの外部に延びる位置を設け、具体的には、左側面５、右側面６或いは下底面２に設ける。
ここで、図２〜図４、図１０〜図１２、図１３〜図１６、図１７〜図１８を参照しながら詳しく説明する。
【００１４】
図２に示すように、プラスチックの下底面２は基板１０に貼り付けられ、左側面５及び右側面６に接続した電極７及び放熱フィン８は更に下底面２に接続し、左側面５と下底面２、右側面６と下底面２との間の角度は３０度である。図３に示すように、プラスチックの下底面２は基板１０に貼り付けられ、左側面５及び右側面６に接続した電極７及び放熱フィン８は更に下底面２に接続し、左側面５と下底面２、右側面６と下底面２との間の角度は４５度である。図４に示すように、プラスチックの下底面２は基板１０に貼り付けられ、左側面５及び右側面６に接続した電極７及び放熱フィン８は更に下底面２に接続し、左側面５と下底面２、右側面６と下底面２との間の角度は６０度である。
【００１５】
図１０に示すように、プラスチックの右側面６は基板に貼り付けられ、電極７及び放熱フィン８は左側面５及び右側面６と接続し、上底面１は左を向け、左側面と下底面との間の角度は３０度である。図１１に示すように、プラスチックの右側面６は基板に貼り付けられ、電極７及び放熱フィン８は左側面５及び右側面６と接続し、上底面１は左を向け、左側面と下底面との間の角度は４５度である。図１２に示すように、プラスチックの右側面６は基板に貼り付けられ、電極７及び放熱フィン８は左側面５及び右側面６と接続し、上底面１は左を向け、左側面と下底面との間の角度は６０度である。
【００１６】
図１３に示すプラスチックの正面図から分かるように、その構造として、プラスチックの下底面２が基板１０に貼り付けられ、左側面５と下底面２との間の角度は３０度であるものである。図１４に示すプラスチックの底面図から分かるように、プラスチックの下底面２は基板１０に貼り付けられ、左側面５及び右側面６に接続した電極７及び放熱フィン８は更に下底面２に接続し、左側面５と下底面２との間の角度は３０度である。図１５に示すプラスチックの底面図から分かるように、プラスチックの下底面２は基板１０に貼り付けられ、電極７及び放熱フィン８は左側面５及び右側面６に接続し、左側面５と下底面２との間の角度は３０度である。図１６に示すように、プラスチックの下底面２は基板１０に貼り付けられ、左側面５と下底面２との間の角度は４５度である時、該プラスチックの左面図及び右面図を示し、左右２つの側面の形状は同じである。
【００１７】
図１７に示すように、プラスチックの下底面２は基板１０に貼り付けられ、左側面５及び右側面６に接続した電極７及び放熱フィン８は更に下底面２に接続し、左側面５と下底面との間の角度は４５度である。図１８に示すように、プラスチックの下底面２は基板１０に貼り付けられ、左側面５と下底面２との間の角度が６０度であり、左側面５と下底面２との間の角度が６０度及び４５度である情況は、左側面５と下底面２との間の角度が３０度である情況と類似し、サイズが異なる。
【００１８】
上記左右側面と下底面との間の傾斜角度を調整することで、異なる発光角度を取得でき、従って必要に応じて各方向へ向けて発光する性能の良い立体光源を取得することができる。
【００１９】
図５〜図９を参照しながら詳しく説明すると、図５において、電極７及び放熱フィン８は下底面２に接続されていない、図６において、プラスチックの左側面５は基板１０に貼り付けられ、電極７及び放熱フィン８は左側面５及び右側面６に接続し、上底面１は左を向け、図７において、プラスチックの左側面５は基板１０に貼り付けられ、電極７及び放熱フィン８は左側面５及び右側面６に接続し、上底面１は右を向け、図８において、プラスチックの右側面６は基板１０に貼り付けられ、電極７及び放熱フィン８は左側面５及び右側面６に接続し、上底面１は左を向け、図９において、プラスチックの右側面６は基板１０に貼り付けられ、電極７及び放熱フィン８は左側面５及び右側面６に接続し、上底面１は右を向ける。放熱フィン８はプラスチックの異なる面に設置されて、それを異なる発光角度要求に適させ、且つ放熱面積を効果的に増大し、照明器具の寿命を高める。
【符号の説明】
【００２０】
１  上底面
２  下底面
３  正面
４  背面
５  左側面
６  右側面
７  電極
８  放熱フィン
９  スクエアカップ
１０  基板
【図１】
2011119211.tif 000003
【図２】
2011119211.tif 000004
【図３】
2011119211.tif 000005
【図４】
2011119211.tif 000006
【図５】
2011119211.tif 000007
【図６】
2011119211.tif 000008
【図７】
2011119211.tif 000009
【図８】
2011119211.tif 000010
【図９】
2011119211.tif 000011
【図１０】
2011119211.tif 000012
【図１１】
2011119211.tif 000013
【図１２】
2011119211.tif 000014
【図１３】
2011119211.tif 000015
【図１４】
2011119211.tif 000016
【図１５】
2011119211.tif 000017
【図１６】
2011119211.tif 000018
【図１７】
2011119211.tif 000019
【図１８】
2011119211.tif 000020